(57)【要約】【課題】読取動作の障害とならず、原稿をプラテンの基準位置に固定させる。【解決手段】プラテンカバーが閉じられる際に、プラテン２２に載置された原稿Ｄをプラテン側から保持する原稿保持部２２Ｂをプラテン２２上に設ける。原稿保持部２２の内部には電圧が印加される電極が設置されており、電極に電圧が印加されて発生する静電吸引力により原稿を保持する。【選択図】図３
2009216992.tif 000002
【特許請求の範囲】
【請求項１】
プラテンに載置された原稿をプラテンカバーで覆い、当該原稿の画像を走査光学部により読み取る原稿読取装置であって、
前記プラテンカバーが閉じられる際に、前記プラテンに載置された原稿をプラテン側から保持する原稿保持部を有することを特徴とする原稿読取装置。
【請求項２】
前記原稿保持部は電圧が印加される電極を有し、
当該電極に電圧が印加されて発生する静電吸引力により原稿を保持する請求項１に記載の原稿読取装置。
【請求項３】
前記プラテンカバーの開閉動作を検知する検知部と、
原稿読取装置を制御する制御部を有し、
前記制御部は、前記プラテンカバーが閉じられたことを前記検知部が検知した場合、前記電極に印加される電圧を調整し、前記プラテンの基準位置に載置された原稿に対する静電吸引力をなくすよう、前記原稿保持部を制御する請求項２に記載の原稿読取装置。
【請求項４】
前記原稿保持部を移動させる移動部を有し、
前記制御部は、前記プラテンカバーが閉じられたことを前記検知部が検知した場合、前記原稿保持部を退避位置へ移動させるよう、前記移動部を制御する請求項３に記載の原稿読取装置。
【請求項５】
前記プラテンカバーの開閉動作を検知する検知部と、
前記原稿保持部を移動させる移動部と、
原稿読取装置を制御する制御部と、を有し、
前記制御部は、前記プラテンカバーが開状態から閉状態へ移行することを前記検知部が検知した場合、前記電極に印加される電圧を調整し、前記原稿保持部における静電引力を徐々に弱めるよう前記原稿保持部を制御し、且つ前記プラテンの基準位置に原稿を当接させるべく前記原稿保持部を徐々に退避位置へ移動させるよう前記移動部を制御する請求項２に記載の原稿読取装置。
【請求項６】
前記原稿保持部は、前記プラテンに載置された原稿の一部を保持する請求項１乃至６の何れかに記載の原稿読取装置。
【請求項７】
前記原稿保持部が退避位置へ移動する際に前記原稿保持部を清掃する清掃部を有する請求項４乃至６の何れか１項に記載の原稿読取装置。
【発明の詳細な説明】
【技術分野】
【０００１】
本発明は、プラテン上に載置された原稿をプラテンカバーで覆い、当該原稿の画像を走査光学部により読み取る原稿読取装置に関するものである。
【背景技術】
【０００２】
従来より、原稿の画像を読み取る原稿読取装置が知られている。原稿読取装置では、プラテンカバーを開けてプラテンにセットされた原稿に対し、光源を走査させながら光を照射し、原稿からの反射光を受像センサに結像させることで画像信号を得ている。
【０００３】
また、原稿読取装置には、複数枚の原稿を一枚ずつ読取位置に搬送する自動原稿搬送ユニットが備えられたものがあり、この自動原稿搬送ユニットを利用すれば複数枚の原稿をセットするだけで自動的に読取動作が実行出来る。但し、自動原稿搬送ユニットで搬送できないようなサイズの原稿を読み取る場合は、自動原稿搬送ユニットを開けてプラテンに原稿をセットし、自動原稿搬送ユニットを閉じて読取動作を実行する。
【０００４】
ところで、ユーザーがプラテンに原稿をセットする場合、読取動作を適切に実行するため、原稿をプラテンの基準位置にセットする必要がある。しかし、ユーザーが原稿をプラテンの基準位置にセットしたとしても、プラテンカバーや自動原稿搬送ユニットを閉じる動作で発生する風圧により、原稿が基準位置からずれてしまう場合がある。
【０００５】
そこで、従来よりセットされた原稿を基準位置に固定する技術が各種提案されている。特許文献１に記載の技術は、原稿の一部を押さえる補助押圧部材を原稿載置台と押圧板の間に設け、原稿を所望の位置に固定するという技術である。また、特許文献２に記載の技術は、プラテンカバー側に原稿貼付部を設け、この原稿貼付部に原稿を固定するという技術である。
【特許文献１】特開平５−１１３６９号公報
【特許文献２】特開２００７−１２４３５６号公報
【発明の開示】
【発明が解決しようとする課題】
【０００６】
しかし、特許文献１に記載の技術のように補助押圧部材を原稿載置台と押圧板との間に設けてしまうと、補助押圧部材がプラテンの上方を占有するため、プラテンの上方に自動原稿搬送ユニットを搭載する際に補助部材が邪魔となり、自動原稿搬送ユニットが搭載しにくい状態となる。また、特許文献２に記載の技術のようにプラテンカバー側に原稿を貼り付ける構造であると、ユーザーは貼り付ける原稿の向きや位置を意識しながらプラテンカバー側に原稿をセットしなければならず、操作性の観点で問題がある。
【０００７】
そこで、本発明の目的は、読取動作の障害とならず、原稿をプラテンの基準位置に固定させる原稿読取装置を提供することにある。
【課題を解決するための手段】
【０００８】
上記目的を達成すべく、本発明に係る原稿読取装置は、
プラテンに載置された原稿をプラテンカバーで覆い、当該原稿の画像を走査光学部により読み取る原稿読取装置であって、
前記プラテンカバーが閉じられる際に、前記プラテンに載置された原稿をプラテン側から保持する原稿保持部を有することを特徴とするものである。
【発明の効果】
【０００９】
本発明に係る原稿読取装置によれば、読取動作の障害とならず、原稿をプラテンの基準位置に固定させることが出来る。
【発明を実施するための最良の形態】
【００１０】
図１（ａ）は、本発明に係る原稿読取装置１の断面図であり、図１（ｂ）は原稿読取装置１の斜視図である。図１（ａ）に示すように原稿読取装置１は、自動原稿送り部１０と、読取部２０と、操作部３０から構成される。自動原稿送り部１０は、セットされた原稿を自動的に読取部２０へ搬送する。読取部２０はプラテン２２に載置された原稿の画像を読み取る。
【００１１】
図１（ｂ）で示すように、自動原稿送り部１０はヒンジ部１９によって読取部２０に取り付けられており、読取部２０に対して開閉可能である。また、自動原稿送り部１０はプラテン２２を覆い、プラテンカバーとしての機能を有する。
【００１２】
プラテン２２に１枚の原稿が載置されると、第１ミラーユニット２３の光源２３１から出射された主走査方向（ｘ方向）に広がる光が原稿に対して照射される。原稿から反射した光は、第１ミラーユニット２３、第２ミラーユニット２４、結像レンズ２５を通過し、ライン読取部２６に結像される。
【００１３】
ライン読取部２６は、原稿の画像を読み取るものである。ライン読取部２６は、１画素毎に光電変換する複数の撮像素子を主走査方向（ｘ方向）に一次元状に並べて配置させたラインセンサで構成され、主走査方向の１ライン単位で原稿の画像を読み取る。
【００１４】
光源２３１を有する第１ミラーユニット２３は、主走査方向と直交する副走査方向（ｙ方向）に移動するとともに、第２ミラーユニット２４は第１ミラーユニットの移動速度の１／２の移動速度で同方向に移動する。したがって、２２上の原稿に対して、第１ミラーユニット２３と第２ミラーユニット２４が副走査方向に移動することにより、読み取り面を副走査方向に移動できる。読み取り面を副走査方向に順次移動させることにより原稿の全面を走査することができ、原稿から反射した光を順次ライン読取部２６によって読み取り、原稿１枚分の画像を読み取ることができる。
【００１５】
自動原稿送り部１０は、原稿載置台１１に載置された複数枚の原稿Ｄを、分離ローラ１２によって１枚ずつ搬送路に送り出し、複数のガイド部材と複数のローラからなる原稿搬送部１３によって搬送し、原稿排紙台１５に排紙する。自動原稿送り部１０によって搬送される原稿Ｄの画像は、搬送路中の原稿画像読取位置２１にて読取部２０により読み取られる。すなわち原稿を移動することにより読み取り面を副走査方向に移動できる。
【００１６】
原稿の両面の画像を読み取る場合は、一対のローラと搬送路切り換えガイドとからなる原稿反転部１６によって、表面（第１面）の画像が読み取られた原稿Ｄが反転され、再度、原稿搬送部１３に搬送される。裏面（第２面）の画像が読み取られた原稿は、原稿排紙台１５に排紙される。このように、原稿読取装置１においては、直にプラテン２２に載置した原稿を読み取るだけでなく、自動原稿送り部１０によって搬送される原稿を読み取ることができる。
【００１７】
読取部２０における手前側には操作部３０が設置されており、原稿読取装置１における読取動作の内容を設定することが出来る。操作部３０はタッチパネル形式となっており、原稿読取装置１で実行している読取動作の状況を表示することも出来る。
【００１８】
図１（ｂ）におけるｚ方向から見た原稿読取装置１を図２に示す。
【００１９】
自動原稿送り部１０の開閉動作は、検知部として機能する動作検知センサ２７Ａ及び閉検知センサ２８によって検知される。
【００２０】
動作検知センサ２７Ａは突起部２７Ｂを有する。突起部２７Ｂは自動原稿送り部１０の下面に接触しており、自動原稿送り部１０の開閉動作に追従して上下に移動する。突起部２７Ｂの上下の移動を動作検知センサ２７Ａが検知することにより、動作検知センサ２７Ａは自動原稿送り部１０の開閉動作を検知することが出来る。
【００２１】
閉検知センサ２８は、自動原稿送り部１０が完全に閉められたことを検知するものであり、自動原稿送り部１０のａ領域を光センサ等により検知する。
【００２２】
［第１の実施形態］図３〜図６を用いて第１の実施形態を説明する。第１の実施形態は、ユーザーが原稿Ｄをプラテン２２の基準位置Ｔにセットし、原稿Ｄをプラテン側から保持するものである。図３（ａ）はプラテン２２を上方から見た平面図であり、図３（ｂ）はプラテン２２における側方の概略断面図である。
【００２３】
図３（ａ）に示すようにプラテン２２の周辺には基準板２２Ａが設置されており、ユーザーは原稿Ｄの角を基準板２２Ａの基準位置Ｔ（プラテン２２の基準位置でもあり、読取動作は基準位置Ｔを基準に実行される）に突き当ててセットすることにより、原稿Ｄを正確な読取位置にセットすることが出来る。
【００２４】
プラテン２２の上面には、Ｌ字型の原稿保持部２２Ｂが設置されており、原稿Ｄが基準位置Ｔにセットされると、図３（ｂ）に示すように原稿Ｄとプラテン２２との間に原稿保持部２２Ｂが介在することとなる。原稿保持部２２Ｂはプラテン２２にセットされた原稿Ｄをプラテン側から保持するものであり、ユーザーが原稿Ｄを基準位置Ｔにセットし、自動原稿送り部１０を閉じたとしても、原稿Ｄは自動原稿送り部１０の開閉動作によって発生する風圧により基準位置Ｔからずれることはない。原稿保持部２２Ｂの構造を図４を用いて詳しく説明する。
【００２５】
図４は、原稿保持部２２Ｂの構造を示す説明図であり、原稿保持部２２Ｂに関係する部分をブロック図として示す。
【００２６】
原稿保持部２２Ｂの内部には電極２２１が設けられており、電極２２１に電圧が印加される。電極２２１は二つの櫛歯状の電極からなり、二つの電極２２１が一定の間隔をおいて互いに入り組んだ形で配置されている。電極２２１は上下の樹脂層（図示せず）に挟み込まれている。
【００２７】
二つの電極２２１には電源部１０２から電圧が印加される。電源部１０２はＤＣ−ＤＣコンバータ、ＡＣ−ＤＣコンバータなどで構成することができる。電源部１０２は制御部１０１によって制御され、制御部１０１による切換操作によって電極２２１に電圧が印加されたり、印加が停止されたりする。電極２２１に電圧が印加されることにより静電吸引力が発生し、この静電吸引力により原稿保持部２２Ｂはプラテン２２にセットされた原稿Ｄを保持する。
【００２８】
また、図４で示すように、原稿保持部２２ＢはＬ字型の形状であり、原稿Ｄの一部を保持する構造である。このようにＬ字型で原稿Ｄの一部を保持することにより、原稿Ｄやプラテン２２を過剰に帯電させることがなく、原稿Ｄやプラテン２２に埃が付着することを低減出来る。
【００２９】
図４に示す移動部１０３は原稿保持部２２Ｂを移動させるものであり、プラテン２２にセットされた原稿Ｄに対して読取動作を行う場合、原稿保持部２２Ｂを退避位置に移動させる。従って、読取動作の際に原稿保持部２２Ｂが障害とならない。移動部１０３は、例えばモータと平歯車を利用して原稿保持部２２Ｂを移動される構造である。
【００３０】
制御部１０１は動作検知センサ２７Ａや閉検知センサ２８の検知信号を受信し、電源部１０２を制御して電極２２１に電圧を印加したり、移動部１０３を制御して原稿保持部２２Ｂを退避位置等に移動させたりする。
【００３１】
次に自動原稿送り部１０を閉じる場合に、原稿保持部２２Ｂにより原稿Ｄを保持し、その後で原稿保持部２２Ｂを退避位置へ移動させる動作について図５を用いて説明する。図５は原稿保持部２２Ｂが原稿Ｄを保持し、且つ原稿保持部２２Ｂを退避位置へ移動させる動作を示すフローチャート図である。
【００３２】
まず、ユーザーによって原稿Ｄがプラテン２２及び原稿保持部２２Ｂの上に載置され、自動原稿送り部１０が開状態から閉状態への移動を開始したか否か判断する（ステップＳ１）。自動原稿送り部１０が開状態のときはユーザーによって原稿Ｄの位置が調整されるため、自動原稿送り部１０が開状態から閉状態への移行を開始するまで、原稿保持部２２Ｂにおいて静電吸引力を発生させず、原稿Ｄを原稿保持部２２Ｂで保持しないようにする。自動原稿送り部１０が開状態から閉状態への移動を開始したか否かは、動作検知センサ２７Ａにより検知する。
【００３３】
自動原稿送り部１０が開状態から閉状態への移行を開始したと判断すると（ステップＳ１；Ｙｅｓ）、電源部１０２により原稿保持部２２Ｂの電極２２１に電圧を印加し、静電吸引力を発生させる（ステップＳ２）。原稿Ｄが基準位置Ｔからずれる弊害は自動原稿送り部１０が閉じる動作によって発生するため、閉じる動作が開始してから静電吸引力を発生させて原稿Ｄを原稿保持部２２Ｂで保持するようにする。これにより自動原稿送り部１０の動作により発生した風圧により原稿Ｄが基準位置Ｔからずれることはない。
【００３４】
次に、自動原稿送り部１０が完全に閉まったか否か判断する（ステップＳ３）。自動原稿送り部１０が完全に閉まったか否かは、閉検知センサ２８により検知する。自動原稿送り部１０が完全に閉まったと判断すると（ステップＳ３；Ｙｅｓ）、風圧により原稿Ｄが基準位置Ｔからずれることはないので、原稿保持部２２Ｂの電極２２１に対する電圧の印加を停止し（これにより原稿を保持する静電吸引力がなくなる）、原稿保持部２２Ｂによる原稿Ｄの保持を解除する。
【００３５】
しかし、ステップＳ４の状態では原稿保持部２２Ｂは原稿Ｄを保持する位置（図３（ａ）に示す位置）にあり、このままでは原稿Ｄに対する読取動作の障害となる。そこで、図６（ａ）で示すように原稿保持部２２Ｂを移動部１０３によりｂ方向へ移動させて、図６（ａ）で示す退避位置へ移動させる（ステップＳ５）。原稿保持部２２Ｂが退避位置へ移動すると、図６（ｂ）で示すように、原稿Ｄの全面がプラテン２２の上面に接触することとなり、原稿Ｄの全面を読み取ることが可能となる。
【００３６】
なお、図６（ｂ）におけるｃ領域の拡大図を図６（ｃ）に示すが、基準板２２Ａと原稿保持部２２Ｂとの間、原稿保持部２２Ｂとプラテン２２との間に原稿保持部２２Ｂを清掃する清掃部材（清掃部）２２２が設置されている。原稿保持部２２Ｂは原稿Ｄの保持位置（図３（ａ）で示す位置）と退避位置（図６（ａ）で示す位置）との間を移動するわけであるが、その移動に際して清掃部材２２２が原稿保持部２２Ｂの表面に接触する。これにより原稿保持部２２Ｂの表面が清掃され、原稿Ｄやプラテン２２が原稿保持部２２Ｂによって汚されることがなく、読取動作を正確に行うことが出来る。本実施形態では、清掃部材２２２を基準板２２Ａと原稿保持部２２Ｂとの間、原稿保持部２２Ｂとプラテン２２との間の両方に設置しているが、どちらか一方に設置する態様でもよい。
【００３７】
以上図３〜図６を用いて説明したように、プラテン側から原稿保持部２２Ｂにより原稿Ｄを保持することにより、原稿Ｄの上方から原稿Ｄを押さえる部材を設ける必要はないため、読取部２０に対する自動原稿送り部１０の搭載に影響はない。また、自動原稿送り部１０の開閉動作があっても基準位置Ｔにセットされた原稿Ｄがずれることがないため、原稿Ｄに対する正確な読取動作を行うことが出来る。
【００３８】
［第２の実施形態］次に図７及び図８を用いて第２の実施形態を説明する。第２の実施形態は、ユーザーが原稿Ｄの角を原稿保持部２２Ｂの基準領域ｄにセットし、原稿Ｄを保持しながら原稿Ｄを基準位置Ｔに自動的にセットするものである。図７（ａ）、（ｂ）はプラテン２２を上方から見た平面図であり、図７（ｃ）はプラテン２２における側方の概略断面図である。
【００３９】
原稿保持部２２Ｂの基本構造は図４で説明した第１の実施形態と同じであるが、第２の実施形態では、ユーザーが原稿Ｄの角を基準位置Ｔにセットするのではなく、原稿保持部２２Ｂが移動することにより原稿Ｄを基準位置Ｔに自動的にセットする。
【００４０】
図７（ａ）で示すように原稿保持部２２Ｂには基準領域ｄが設けられており、基準領域ｄは、例えば着色されてユーザーが認識しやすいようになっている。図７（ｂ）で示すように、ユーザーはこの基準領域ｄに原稿Ｄの角を置くようにセットすればよく、簡単に原稿Ｄをセットすることが出来る。基準領域ｄに原稿Ｄの角をセットすると、図７（ｃ）のように基準板２２Ａと原稿Ｄは離れている。このままでは読取動作の基準位置Ｔに原稿Ｄがセットされていないため、原稿Ｄの全面を読み取ることは出来ない。そこで、自動原稿送り部１０を閉じる際に原稿Ｄを原稿保持部２２Ｂで保持しつつ、原稿Ｄを基準位置Ｔに移動させるようにする。この点の動作について図８を用いて説明する。
【００４１】
図８は、原稿Ｄを原稿保持部２２Ｂで保持しつつ、原稿Ｄを基準位置Ｔに移動させる動作を示すフローチャート図である。
【００４２】
まず、図７（ｂ）で示すようにユーザーによって原稿Ｄが原稿保持部２２Ｂの基準領域ｄにセットされ、自動原稿送り部１０が開状態から閉状態への移動を開始したか否か判断する（ステップＳ１１）。自動原稿送り部１０が開状態のときはユーザーによって原稿Ｄの位置が調整されるため、自動原稿送り部１０が開状態から閉状態への移行を開始するまで、原稿保持部２２Ｂにおいて静電吸引力を発生させず、原稿Ｄを原稿保持部２２Ｂで保持しないようにする。自動原稿送り部１０が開状態から閉状態へ移動を開始したか否かは、動作検知センサ２７Ａにより検知する。
【００４３】
自動原稿送り部１０が開状態から閉状態への移行を開始したと判断すると（ステップＳ１１；Ｙｅｓ）、電源部１０２により原稿保持部２２Ｂの電極２２１に電圧を印加し、静電吸引力を発生させ、徐々に電圧を低くして、静電吸引力を弱める（ステップＳ１２）。
【００４４】
また、ステップＳ１２とほぼ同時に原稿保持部２２Ｂを退避位置への移動（図７（ｂ）のｅ方向への移動）を開始する（ステップＳ１３）。
【００４５】
ステップＳ１２における電圧の印加により原稿保持部２２Ｂにおいて静電吸引力が発生するため、原稿Ｄを原稿保持部２２Ｂで保持することが出来る。また、第２の実施形態では原稿Ｄの角が原稿保持部２２Ｂの基準領域ｄにセットされているため、基準位置Ｔへ移動させるべく原稿保持部２２Ｂを退避位置へ移動させるとともに静電吸引力を徐々に弱める。このようにすれば、原稿Ｄを保持しながら原稿Ｄを基準位置Ｔへ移動させるとともに、原稿Ｄの角が基準位置Ｔに突き当たると静電吸引力が弱くなっている影響で、原稿Ｄが原稿保持部２２Ｂからずれ落ちる。ステップＳ１２、ステップＳ１３の動作を行うことにより、基準領域ｄにセットされた原稿Ｄが図６（ａ）で示すように基準位置Ｔに自動的にセットされるようになる。この状態で、原稿Ｄの全面がプラテン２２の上面に接触することとなり、原稿Ｄの全面を読み取ることが可能となる。ステップＳ１２、ステップＳ１３の後で原稿保持部２２Ｂの退避位置へ移動が完了すると（ステップＳ１４；Ｙｅｓ）、一連の動作を完了させる。
【００４６】
以上説明したように、第２の実施形態では原稿Ｄを基準位置Ｔに自動的にセットするとともに、自動原稿送り部１０の開閉動作があっても原稿Ｄが基準位置Ｔからずれることがないため、原稿Ｄに対する正確な読取動作を行うことが出来る。
【００４７】
なお、本発明は当該実施の形態に限定されるものではなく、本発明の要旨を逸脱しない範囲における変更や追加があっても本発明に含まれる。
【図面の簡単な説明】
【００４８】
【図１】図１（ａ）は、本発明に係る原稿読取装置の断面図であり、図１（ｂ）は原稿読取装置の斜視図である。
【図２】図１（ｂ）におけるｚ方向から見た原稿読取装置の側面図である。
【図３】図３（ａ）はプラテンを上方から見た平面図、図３（ｂ）はプラテンにおける側方の概略断面図である。
【図４】原稿保持部の構造を示す説明図及び原稿保持部に関係する部分を示すブロック図である。
【図５】原稿保持部が原稿を保持し、且つ原稿保持部を退避位置へ移動させる動作を示すフローチャート図である。
【図６】図６（ａ）はプラテンを上方から見た平面図、図６（ｂ）はプラテンにおける側方の概略断面図、図６（ｃ）は清掃部材周辺の拡大図である。
【図７】図７（ａ）はプラテンを上方から見た平面図、図７（ｂ）は原稿保持部の基準領域に原稿Ｄを載置した状態を示す平面図、図７（ｃ）はプラテンにおける側方の概略断面図である。
【図８】原稿Ｄを原稿保持部で保持しつつ、原稿Ｄを基準位置に移動させる動作を示すフローチャート図である。
【符号の説明】
【００４９】
１  原稿読取装置
１０  自動原稿送り部
２０  読取部
２２  プラテン
２２Ａ  基準板
２２Ｂ  原稿保持部
２７Ａ  動作検知センサ
２８  閉検知センサ
３０  操作部
１０１  制御部
１０２  電源部
１０３  移動部
２２１  電極
２２２  清掃部材
【図１】
2009216992.tif 000003
【図２】
2009216992.tif 000004
【図３】
2009216992.tif 000005
【図４】
2009216992.tif 000006
【図５】
2009216992.tif 000007
【図６】
2009216992.tif 000008
【図７】
2009216992.tif 000009
【図８】
2009216992.tif 000010